(57)【特許請求の範囲】
【請求項１】
被計量物を収納する計量ホッパ（６）と、
収納された前記被計量物を計量するセンサ（１７）を内部に有する装置本体（１０）と、
前記装置本体の側壁（１０ａ）に形成されている開口部（１１）に遊挿されて前記センサに連結されると共に、前記計量ホッパが掛けられ、内部が中空となって前記装置本体内部と連通するアーム（３５）と、を具備する計量装置であって、
一端（２１）が前記開口部を囲繞して前記装置本体の前記側壁表面に固定されるとともに他端（２３）が前記装置本体の前記側壁から前記計量ホッパ側に突出した前記アームの外周面に固定される略筒状とされており、前記アームと前記開口部との間隙を閉塞する可撓性の保護部材（２０）と、
前記計量ホッパとともに前記アームに連結され、前記計量ホッパの底部に形成されている排出口６ａを開閉自在にする開閉機構（４８）と、
前記アームに挿通されるとともに前記開閉機構と連結される揺動体（４３）を有し、該揺動体の基端（４３ａ）側が前記装置本体内部に設けられ、前記開閉機構の開閉動作を制御するクランク機構と、
を具備することを特徴とする計量装置。
【請求項２】
前記保護部材の中途部が蛇腹状に形成されていることを特徴とする請求項１記載の計量装置。
【請求項３】
前記保護部材が円筒状に形成されていることを特徴とする請求項１記載の計量装置。
【請求項４】
前記保護部材の一端を覆う基部（２６）と、該基部から前記計量ホッパ側に突出して、前記保護部材の略上半部を覆う突出片（２７）と、からなるベース部材（２５）を具備することを特徴とする請求項１記載の計量装置。
【請求項５】
前記アームに固定されている前記保護部材の前記他端よりも前記計量ホッパ側における前記アームの外周面に嵌合される嵌合部（３１）と、該嵌合部から前記装置本体側に向かって突出されており、少なくとも前記保護部材の略上半部を覆う被覆部（３２）と、からなるカバー部材（３０）を具備することを特徴とする請求項１記載の計量装置。
【請求項６】
前記保護部材の一端を覆う基部と、該基部から前記計量ホッパ側に突出して、前記保護部材の略上半部を覆う突出片と、からなるベース部材と、
前記アームに固定されている前記保護部材の他端よりも前記計量ホッパ側における前記アームの外周面に嵌合される嵌合部と、該嵌合部から前記装置本体側に向かって突出されており、少なくとも前記保護部材の略上半部を覆う被覆部と、からなるカバー部材と、
を具備し、
前記被覆部は、前記保護部材の一端から所定間隔おいて位置されており、
前記突出片は、前記被覆部の先端を越えて突出されていることを特徴とする請求項１記載の計量装置。
【発明の詳細な説明】
【０００１】
【発明の属する技術分野】
本発明は、食品などの被計量物を容器や所定質量ずつ包装するために、該被計量物を所定質量に計量して排出することができる計量装置に係り、特に、装置本体内部の防塵性，防水性及び耐久性を向上できる計量装置に関する。
【０００２】
【従来の技術】
図１１に、特開平８−６８６８５号の計量装置を示す。この計量装置５０には、装置本体５１内面に略コ字状の取付板５２が固定されている。取付板５２の開口溝内には、ロードセル５３が設けられており、その一端が取付板の溝底に固定されている。
【０００３】
装置本体５１表面から円形状に切り抜かれた開口部分には、その開口部分よりも小径な円板状パネル５４が設けられており、その内面にはロードセル５３の他端が固定されている。円板状パネル５４の表面には、被計量物を収納する計量ホッパ５５を支持するための、略コ字状の支持部材５６が固定されている。支持部材５６には、一対の切欠５６ａ，５６ａが形成されている。
【０００４】
また、円形状パネル５４の内側には、エアシリンダ５７が取付板５２に保持されている。エアシリンダ５７には、ピストン５８が挿通されており、装置本体５２内部に設けられる不図示の駆動機構により、円形状パネル５４を貫通して往復移動するようになっている。
【０００５】
装置本体５１表面から円形状に切り抜かれた開口部分の周縁には、環状の化粧パネル５９が取り付けられている。円盤状パネル５４と化粧パネル５９との間隙には、ゴム製のジャバラ６０が設けられており、円形状に切り抜かれた開口部分を密閉するようになっている。
【０００６】
計量ホッパ５５は、上下が開放されている筒状部材６１と、筒状部材６１の下側開口部を開閉自在にするスライド機構６２と、で構成されており、スライド機構６２に形成されている丸棒６３が、支持部材５６の切欠５６ａ，５６ａに掛け渡されて、計量ホッパ５５を片持ち状態で支持するようになっている。
【０００７】
スライド機構６２には、ピストン５８の先端に係合されるスライド板６４がスライド自在となってガイドレール６５に支持されており、ピストン５８の往復移動に従動して、筒状部材６１の下側開口部を開閉自在にするようになっている。
【０００８】
この計量装置５０では、計量ホッパ５５内のスライド板６４上に被計量物が投入されると、その荷重がロードセル５３に伝達される。ロードセル５３にはホイートストンブリッジ回路が設けられており、伝達された荷重に比例した電気抵抗の抵抗変化を出力して、被計量物の質量を計量するようになっている。
【０００９】
【発明が解決しようとする課題】
この計量装置５０では、計量ホッパ５５に被計量物が投入されると、その荷重の影響でジャバラ６０の上半部が伸長すると共に下半部が収縮され、円板状パネル５４が下方に揺動する。しかし、ジャバラ６０は、ピストン５８の往復移動方向に直交する方向に形成されて、円板状パネル５４と化粧パネル５９との間隙を塞ぐようにしているため、その接合が十分でなく、長期間の使用等により、間隙が生じるおそれがある。したがって、ジャバラの耐久性に問題があると共に、装置内部の密閉性にも問題がある。
【００１０】
また、上述のように、円板状パネル５４と化粧パネル５９との間に間隙が生じると、塵埃が装置内部に入り込み、装置内部に設けられている駆動機構やロードセル５３等のセンサに影響を与えるという問題がある。また同様に、計量装置５０は食品等を扱うため、定期的に装置表面を水洗いすることがあるが、上述のように、円板状パネル５４と化粧パネル５９との間に間隙が生じると、装置内部に水が浸入し、装置内部に設けられている駆動機構やロードセル５３等のセンサに影響を与えるという問題がある。特に、円板状パネル５４にピストン５８を貫通させるための孔や支持部材５６を固定するためのネジ孔等、複数の穿孔が穿設されているため、装置内部に水が浸入し、装置内部に設けられている駆動機構やロードセル５３等のセンサに影響を与えるという問題がある。
【００１１】
そこで本発明は、上記問題点を解消するために、装置本体内部の防塵性，防水性及び耐久性を向上できる計量装置を提供することを目的としている。
【００１２】
【課題を解決するための手段】
次に、上記の課題を解決するための手段を、実施の形態に対応する図１乃至図１０を参照して説明する。
【００１３】
請求項１に記載された計量装置は、被計量物を収納する計量ホッパ６と、
収納された前記被計量物を計量するセンサ１７を内部に有する装置本体１０と、
前記装置本体の側壁１０ａに形成されている開口部１１に遊挿されて前記センサに連結されると共に、前記計量ホッパが掛けられ、内部が中空となって前記装置本体内部と連通するアーム３５と、を具備する計量装置であって、
一端２１が前記開口部を囲繞して前記装置本体の前記側壁表面に固定されるとともに他端２３が前記装置本体の前記側壁から前記計量ホッパ側に突出した前記アームの外周面に固定される略筒状とされており、前記アームと前記開口部との間隙を閉塞する可撓性の保護部材２０と、
前記計量ホッパとともに前記アームに連結され、前記計量ホッパの底部に形成されている排出口６ａを開閉自在にする開閉機構４８と、
前記アームに挿通されるとともに前記開閉機構と連結される揺動体４３を有し、該揺動体の基端４３ａ側が前記装置本体内部に設けられ、前記開閉機構の開閉動作を制御するクランク機構と、
を具備することを特徴とする。
【００１４】
請求項２に記載された計量装置は、請求項１記載の計量装置において、前記保護部材の中途部が蛇腹状に形成されていることを特徴とする。
【００１５】
請求項３に記載された計量装置は、請求項１記載の計量装置において、前記保護部材が円筒状に形成されていることを特徴とする。
【００１６】
請求項４に記載された計量装置は、請求項１記載の計量装置において、  前記保護部材の一端を覆う基部２６と、該基部から前記計量ホッパ側に突出して、前記保護部材の略上半部を覆う突出片２７と、からなるベース部材２５を具備することを特徴とする。
【００１７】
請求項５に記載された計量装置は、請求項１記載の計量装置において、  前記アームに固定されている前記保護部材の前記他端よりも前記計量ホッパ側における前記アームの外周面に嵌合される嵌合部３１と、該嵌合部から前記装置本体側に向かって突出されており、少なくとも前記保護部材の略上半部を覆う被覆部３２と、からなるカバー部材３０を具備することを特徴とする。
【００１８】
請求項６に記載された計量装置は、請求項１記載の計量装置において、  前記保護部材の一端を覆う基部と、該基部から前記計量ホッパ側に突出して、前記保護部材の略上半部を覆う突出片と、からなるベース部材と、
前記アームに固定されている前記保護部材の他端よりも前記計量ホッパ側における前記アームの外周面に嵌合される嵌合部と、該嵌合部から前記装置本体側に向かって突出されており、少なくとも前記保護部材の略上半部を覆う被覆部と、からなるカバー部材と、
を具備し、
前記被覆部は、前記保護部材の一端から所定間隔おいて位置されており、
前記突出片は、前記被覆部の先端を越えて突出されていることを特徴とする。
【００１９】
【発明の実施の形態】
本発明の計量装置の第１実施の形態について説明する。まず、計量装置の概略について説明する。図１は計量装置１を示す斜視図、図２は同側面図、図３は同上面図である。計量装置１の上部中央で且つ物品の投入箇所直下位置には分散供給部２が設けられる。この分散供給部２は、分散部３と、搬送トラフ４で概略構成されている。
【００２０】
分散部３は、中央が上に向けて突出した平たい円錐状に形成され、下部には分散部３を回転させる不図示の駆動手段を備えている。図示しない供給手段が分散部３の上に被計量物を供給することにより、分散部３上は多数の被計量物が常時積み重なった状態となり、回転によって被計量物は周囲に均等にこぼれ落ちて供給される。
【００２１】
分散部３周囲には、上述した搬送トラフ４が円環状に複数基配置されている。
各搬送トラフ４の下部には、それぞれこの搬送トラフ４を振動させ被計量物を搬送トラフ４の長手方向に搬送させる不図示の駆動手段が設けられている。なお、搬送トラフ４は、分散部３を中心とする周方向に等角度間隔で合計１０基設けられている。
【００２２】
搬送トラフ４に供給された被計量物は、搬送トラフ４下部の駆動手段の駆動により配置の外側に向けて搬送されていく。被計量物は、各搬送トラフ４の搬送方向前端から落下する。各搬送トラフ４の外端部の下方には、ストックホッパ５がそれぞれ配置されている。即ち、搬送トラフ４と同数の複数のストックホッパ５が、周状に等間隔で配置されている。各ストックホッパ５は上面の投入口が開口された箱体であり、下面には開閉可能な排出扉が取り付けられている。
【００２３】
各ストックホッパ５の下方には、それぞれ計量ホッパ６が配置されている。即ち、ストックホッパ５と同数の複数の計量ホッパ６が、周状に等間隔で配置されている。計量ホッパ６は上面が開口した箱体であり、下面には排出扉が設けられる。この計量ホッパ６には計量手段が設けられており、内部に収納された被計量物の質量を計ることができる。
【００２４】
各計量ホッパ６の下方には、それぞれメモリホッパ７が配置されている。即ち、計量ホッパ６と同数の複数のメモリホッパ７が、周状に等間隔で配置されている。メモリホッパ７は上面が開口した箱体であり、下面には開閉可能な蓋が取り付けられている。計量ホッパ６で計量された被計量物はメモリホッパ７に収納保持される。
【００２５】
図３に示すように、ストックホッパ５と計量ホッパ６とメモリホッパ７は、この順に上から下に向けて縦に並んでおり、かつ上から下に向かうにつれて装置の内側に配置されるとともに、被計量物の排出方向の傾斜が緩やかになるように配置されている。最終段のメモリホッパ７に収納された被計量物は、底面の蓋を開くことによって落下排出される。
【００２６】
円周状に配置された複数のメモリホッパ７の下方には、漏斗形の集合シュート８が設けられている。この集合シュート８は、中空円錐台形であり下方に排出ホッパが設けられる。
【００２７】
計量装置１では、計量ホッパ６で計量した質量が記憶されてメモリホッパ７に排出される。図示しない制御部は、所望の質量値が得られる複数のメモリホッパ７の計量値の組み合わせを算出して選択されたメモリホッパ７を開き、集合シュート８で集合させて排出ホッパから図示しない包装装置等に排出する。この組合せは、上記の他、計量ホッパ６の計量値及びメモリホッパ７に収容されている被計量物の記憶値を組合せる場合もある。さらに、メモリホッパ７を設けない構成の場合には、計量ホッパ６の計量値を組み合わせる。これにより、被計量物を所望する質量ずつ排出でき、包装等できる。
【００２８】
次に、本発明の特徴部分である装置本体と計量ホッパとの連結構造について図４〜図８を用いて説明する。
【００２９】
装置本体１０の側壁１０ａには、分散部３を中心とする周方向に等角度間隔で複数の開口部１１が形成されている。各計量ホッパ６は、この複数の開口部１１に遊挿されているアーム１２に連結されている。アーム１２は、円筒状のアーム部１３を有している。装置本体１０から延出しているアーム部１３の中途部上面には、計量ホッパ６に連結される連結部１４が、溶接等でアーム部１３と一体となって構成されている。連結部１４は、図４に示すように、アーム部１３の軸方向と直交する方向を中心軸とする円筒状とされており、更に外周面には、アーム部１３及び連結部１４の軸方向に共に直交する方向に突起部１４ａが上向きに突出して形成されている。
【００３０】
計量ホッパ６の一側面には、図４に示すように、連結部１４に連結されるとともに連結部１４を覆う略コ字状の連結カバー１５が、略コ字状の開口を鉛直下向きにして形成されている。連結カバー１５の両開口縁には、アーム部１３の外周に沿った湾曲状の切欠部１５ａが形成されている。また、連結カバー１４の開口溝底には、嵌合孔１５ｂが穿設されており、突起部１４ａと嵌合するようになっている。すなわち、湾曲状の切欠部１５ａとアーム部１３とが係合されるとともに、突起部１４ａが嵌合孔１５ｂに嵌合されて、計量ホッパ６が、アーム１２に片持ち状態で掛けられるようになっている。
【００３１】
図５及び図６に示すように、アーム部１３の基端１２ａは、装置本体１０内に設けられる負荷側ブロック１６に固着されている。負荷側ブロック１６は略直方体形状とされており、装置本体１０の側壁１０ａ内面に対向する表面の大部分は傾斜面１６ａとされており、この傾斜面１６ａにアーム部１３の基端１２ａが固定され、アーム１３を水平位置からやや下向きにして支持する構成とされている。負荷側ブロック１６の背面には、凹溝１６ｂが形成されている。
【００３２】
センサとしてのロードセル１７は自身の弾性変形を電気抵抗の変化に変換するものである。ロードセル１７の外形はロ字形状とされており、上端縁及び下端縁にそれぞれ湾曲した凹部１７ａが形成されている。各凹部１７ａの背面には不図示のひずみゲージが接着されており、これら４つのひずみゲージによりホイートストーンブリッジ回路を構成し、ロードセル１７の弾性変形を電気抵抗の変化に変換するようになっている。ロードセル１７の一端となる負荷側は、負荷側ブロック１６の凹溝１６ｂにはめ込まれて固定されている。
【００３３】
ロードセル１７の他端となる固定側には固定側ブロック１８が設けられており、装置本体１０内の基体１０ｂに固定されている。固定側ブロック１８には、負荷側ブロック１６に形成されている凹溝１６ｂに対向する位置に同幅の凹溝１８ａが形成されており、ロードセル１７の固定側がはめ込まれて、固定されている。すなわち、アーム１２は、その基端１３ａが負荷側ブロック１６，ロードセル１７及び固定側ブロック１８を介して基体１０ｂに固定されていることとなる。
【００３４】
図４〜図８に示すように、装置本体１０とアーム１２とは、ゴム又は樹脂性の材料からなる可撓性の保護部材２０により連結されている。保護部材２０はアーム部１３の軸方向に沿った略円筒状であり、その一端２１が環状のフランジ状とされている。フランジ部２１は、アーム部１３が遊挿されている装置本体１０の側壁１０ａの開口部１１を囲繞するようになっている。フランジ部２１には、その周方向にネジ孔２１ａが穿設されており、ネジ２２により後述するベース部材２５とともに装置本体１０の側壁１０ａに螺着される。
【００３５】
保護部材２０の他端２３にはリング状の溝部２３ａが形成されており、保護部材２０の他端２３は、Ｏリング２４により装置本体１０の側壁１０ａから計量ホッパ６側に突出したアーム１２のアーム部１３外周面に隙間なく締着されている。保護部材２０の中途部は蛇腹形状とされており、アーム１２の上下方向の揺動に従動して伸縮するようになっている。保護部材２０の中途部は、両端２１，２３の肉厚よりも薄く形成されている。
【００３６】
ベース部材２５は環状の金属部材であり、その環状部分を基部２６としているる。図７及び図８に示すように、ベース部材２５の基部２６外周縁は保護部材２０のフランジ部２１の外周縁と同径となっており、フランジ部２１の側面に沿って隙間なくアーム１２の軸方向に立ち下がって、装置本体１０の側壁１０ａ表面に当接するようになっている。ベース部材２５の基部２６表面には、フランジ部２１のネジ孔２１ａと連通するネジ孔が穿設されており、ネジ２２によりフランジ部２１を介して装置本体１０の側壁１０ａに螺着されている。即ち、ベース部材２５の基部２６は、保護部材２０のフランジ部２１の側面から表面中途まで隙間なく密着して保護部材２０を覆うようになっている。
【００３７】
また、図４に示すように、ベース部材２５の基部２６内周縁は保護部材２０の中途部よりも大径とされ、ベース部材２５の基部２６内周縁の上半部に沿った湾曲状の突出片２７がアーム１２の計量ホッパ６側に向けて軸方向に突出して形成されており、保護部材２０の中途部に形成されている蛇腹形状の外周面の略上半部を覆うようになっている。すなわち、図７に示すように、突出片２７は、保護部材２０の中途部よりも断面において拡幅となっており、突出片２７と保護部材２０とは所定の間隙を有している。
【００３８】
また、図４に示すように、アーム１２には、保護部材２０の大部分を覆うカバー部材３０が取り付けられている。カバー部材３０は、両端が開口している略円筒形状となっており、その一端は、アーム１２のアーム部１３に締着されている保護部材２０の他端２３よりも計量ホッパ６側におけるアーム部１３の外周面に沿った湾曲状の嵌合部３１とされており、アーム部１３の外周面と嵌合するようになっている。嵌合部３１は、アーム部１３の外周面に嵌合されてリング状の締め付け金具３３により締着される。
【００３９】
また、カバー部材３０には、保護部材２０の外周面を覆う被覆部３２が形成されている。被覆部３２は、嵌合部３１から装置本体１０側に向かって、途中段部を有して突出されており、カバー部材３０の他端である被覆部３２の先端３２ａが、突出片２７と保護部材２０との間隙に侵入している。被覆部３２の先端３２ａは、保護部材２０のフランジ部２１表面に対して所定間隔有して対向している。また、突出片２７の先端２７ａは、被覆部３２の先端３２ａを越えて突出されている。被覆部３２の先端３２ａは、嵌合部３１よりも大径であり、保護部材２０の外周面との間に間隙を有する。
【００４０】
また、図４に示すように、カバー部材３０は、アーム部１３の直下の部分を切り抜かれた形状とされている。これにより、アーム部１３との嵌合を容易にし、アーム部１３とカバー部材３０内周面との間隙にたまる水分を下方に排出することができる。
【００４１】
次に、本実施の形態の作用について説明する。被計量物は分散部３から各搬送トラフ４を介してストックホッパ５に略均等に振り分けられる。被計量物は、このストックホッパ５を介して概ね同量ずつ各計量ホッパ６に落とし込まれる。
【００４２】
このとき、投入された被計量物の荷重により計量ホッパ６が上下に揺動する。
これに伴い可撓性部材の蛇腹部分が上下方向に伸縮する。被計量物の荷重はアーム１２のアーム部１３の基端１３ａ及び負荷側ブロック１６を介してロードセル１７に伝達され、このときの荷重に伴う自身の弾性変形を電気抵抗の変化としてホイートストーンブリッジ回路にて検出し被計量物の質量を計量する。
【００４３】
それぞれ質量が計測されると、計量ホッパ６底面の排出口を開放させ、被計量物をメモリホッパ７に落とし込む。メモリホッパ７に収納された被計量物の質量は本装置の制御部に記憶される。そして、所望の質量値が得られる複数のメモリホッパ７の計量値の組み合わせを算出してこれらのメモリホッパ７を開く。その間、計量ホッパ６では次の被計量物の計量が行なわれている。メモリホッパ７の排出後、計量が行なわれた計量ホッパ６内の被計量物を直ちにメモリホッパ７に投入して次の組み合わせによる排出を行なう。
【００４４】
集合シュート８の排出口の下方には、図示しない被計量物を包装するための装置が設けられており、所定の質量の被計量物を包装することができる。
【００４５】
本実施の形態では、アーム１２が遊挿されている装置本体１０の側壁１０ａの開口部１１は、常に保護部材１１により閉塞されているため、塵埃が装置本体１０内に入り込まず、ロードセル等の内部の計測部等に悪影響を与えることはない。また、保護部材２０の周囲にベース部材２５やカバー部材３０を装着されているため、更に防塵性を高めることができる。
【００４６】
また、メンテナンス時において計量装置１全体を水洗いする場合においても、開口部１１から浸水することはないので、水分によりロードセル等の内部の計測部が故障することはない。更に高温多湿な場所に計量装置１を設置した場合でも、水分による悪影響を最小限に止めることができる。更に、突出片２７が上向きに凸な半円状に形成されているため、水が下方に流れ落ちることとなる。特に、突出片２７を上半部にのみ形成し、下半部に形成しないことにより、ベース部材２５での水溜まりを防止することができる。
【００４７】
特に、アーム１２のアーム部１３及び保護部材２０を円筒状にすることにより、アーム部１３の外周面に均一な締め付けで保護部材を締着させることができ、多角形等の角筒形状の保護部材に比べて防水性、防塵性が向上することとなる。
【００４８】
次に、発明の第２実施の形態について図４〜図１０を用いて説明する。なお、第１実施の形態と同一箇所には同一番号を付し、その説明を省略する。図９に示すように、本実施の形態のアーム３５のアーム部３６及び連結部３７は内部が中空な円筒体とされており、基端３６ａが開口されて装置本体１０内と連通している。アーム部３６の揺動端３６ｂは、第１実施の形態と同様、閉塞されている。
また、アーム部３６及び連結部３７の内部は連通されている。
【００４９】
装置本体１０内には、クランク機構４０が設けられており、固定側ブロック１６の背面に固定されている支持部材１９で支持されている。クランク機構４０は、駆動モータ４１と、回転板４２と、揺動体４３で構成されている。駆動モータ４１は固定板１９ａを介して支持部材１９に固定されている。駆動モータ４１のモータ軸４１ａは、支持部材１９の開口孔１９ｂに挿通されて回転板４２の中心位置に接続されている。揺動体４３はアーム部３６内に挿通されている。揺動体４３の基端４３ａは、回転板４２の偏心位置で接続されている。
【００５０】
アーム３５内にはリンク部材４４が設けられており、その一端が揺動体４３と連結されている。リンク部材４４の他端は連結部３７内に位置し、回動軸４７と連結されている。アーム３５には、垂直方向に長尺な回動片４５が設けられており、その基端４５ａが回動軸に軸支されている。回動片４５の回動端４５ｂには切欠部４６が形成されており、計量ホッパ６の排出扉４８と係合するようになっている。
【００５１】
計量ホッパ６には、計量ホッパ６の両側面及び排出口６ａが形成されている底面に嵌合する略コ字状の排出扉４８が設けられており、排出扉４８の開口溝底面が計量ホッパ６の底面と重なり合って、計量ホッパ６底面に形成されている排出口６ａを塞ぐようになっている。排出扉４８の両側は、計量ホッパ６の両側面に軸支されている。排出扉４８の片側側面には、係合片４９が突出形成されており、回動片４５に形成されている切欠部４６に係合するようになっている。
【００５２】
次に本実施の形態の作用について説明する。被計量物が計量ホッパ６に投入されるとロードセル１７によりその質量が計測される。そして、所定のタイミングで駆動モータ４１を駆動して回転板４２を回転させる。回転板４２の回転により揺動体４３の基端４３ａが図９の位置から１８０°回転した位置になると、リンク部材４４と揺動体４３の連結部分が装置本体１０側に引き寄せられる。これに伴い、回動軸４７を支点として回動片４５の回動端４５ｂが装置本体１０側に引き寄せられるとともに、回動片４５の切欠部４６により係合されている排出扉４８が矢印Ａ方向に移動させられ、排出口６ａが開放状態となって被計量物がメモリホッパ７に落下する。
【００５３】
そして、回転板４２の回転により揺動体４３の基端４３ａが更に１８０°回転して図９の位置に戻ると、排出扉４８が矢印Ｂ方向に移動させられ、元の位置に戻されて排出口６ａが塞がれることとなる。
【００５４】
本実施の形態によれば、計量ホッパ６の排出扉４８を開閉させるためのクランク機構４０を、装置本体４０内部及びアーム３５内に設けたため、装置本体１０の側壁１０ａに余分な開孔を穿設する必要がなく、単一の開口部１１にのみ保護部材２０，ベース部材２５，カバー部材３０を設けることにより、装置本体１０の密閉性を向上でき、防塵性、防水性を向上することができる。
【００５５】
なお、上述したいずれの実施の形態においても、カバー部材３０の被覆部３２は、アーム部１３，３６の直下を切り取った形状としたが、保護部材２０の全周を覆う形状であってもよい。
【００５６】
また、上述した実施の形態では、保護部材２０の外周とベース部材２５の突出片２７との間隙にカバー部材３０の被覆部３２の先端３２ａを突出させた形状としたが、これとは逆に保護部材２０の外周とカバー部材３０の被覆部３２との間隙に保護部材２０の外周とベース部材２５の突出片２７を突出する形状としてもよい。
【００５７】
【発明の効果】
本発明によれば、装置本体側面と、装置本体側面から延出しているアームと、を可撓性部材で連結して、装置本体側面に形成された開口とアームとの間隙を塞ぐ構成としたため、装置本体内に塵埃や水分が入り込むことがなく、装置本体内に設けられるセンサや駆動部を塵埃や水分から保護することができる。
【００５８】
また、計量ホッパの排出扉を開閉させるためのクランク機構を、装置本体内部及びアーム内に設けたため、装置本体側壁に余分な開孔を穿設する必要がなく、部品コストを低減させることができる。また、単一の開口部のみを用いるため、装置本体の密閉性を向上でき、防塵性及び防水性の向上が可能となる。
【００５９】
更に、アームと保護部材を円筒形状とすることにより、アームの外周面に均一な締め付けで保護部材を締着させることができ、防水性、防塵性が向上することとなる。
【図面の簡単な説明】
【図１】本発明の計量装置の全体構成を示す斜視図。
【図２】同装置の上面図。
【図３】同装置の側面図。
【図４】本発明の要部である装置本体とアームとの係合構造を示す斜視図。
【図５】同部分上断面図。
【図６】同部分側断面図。
【図７】同拡大部分上断面図。
【図８】同拡大部分側断面図。
【図９】本発明の要部である装置本体とアームとの係合構造を示す部分側断面図。
【図１０】同拡大部分上断面図。
【図１１】従来の計量装置における装置本体とアームとの係合構造の概要を示す図。
【符号の説明】
１…計量装置、６…計量ホッパ、６ａ…排出口、１０…装置本体、１０ａ…側壁、１１…開口部、１２，３５…アーム、１７…センサ、２０…保護部材、２１…保護部材の一端（フランジ部）、２３…保護部材の他端、２５…ベース部材、２６…ベース部材の基部、２７…突出片、３０…カバー部材、３１…嵌合部、３２…被覆部、４８…開閉機構、４０…クランク機構、４３…揺動体、４３ａ…揺動体の基端
【図１】
0004566340.tif 000002
【図２】
0004566340.tif 000003
【図３】
0004566340.tif 000004
【図４】
0004566340.tif 000005
【図５】
0004566340.tif 000006
【図６】
0004566340.tif 000007
【図７】
0004566340.tif 000008
【図８】
0004566340.tif 000009
【図９】
0004566340.tif 000010
【図１０】
0004566340.tif 000011
【図１１】
0004566340.tif 000012